(57)【要約】      （修正有）【課題】身体の牽引とストレッチ機能を備え、身体各部の関節や筋肉をほぐし、矯正やストレッチが一台で出来る、身体牽引ストレッチ機を提供する。【解決手段】牽引ア−ム１先端の両足底固定可動板２に固定されている足底固定サンダルに足を挿入、踵部を紐で固定し、仰向けになり脚部又は頭部を牽引する。同姿勢で、両足底固定可動板２の踵部を牽引しストレッチ効果を生む。など、多種多様な牽引が一台できる身体牽引ストレッチ機。【選択図】図１
2009045415.tif 000002
【特許請求の範囲】
【請求項１】
両足底部を足底固定可動板に固定し、牽引アームで足先部又は踵部を牽引、同時に踵部を上下調整ができる。
【請求項２】
頭上部に頚椎牽引ベルトを備え、仰臥姿勢で身体中枢全関節を直一度に、又は部分的に牽引できる。更にうつぶせ状態で身体をえびそり状に出来る身体牽引ストレッチ機。
【発明の詳細な説明】
【発明の詳細な説明】
【産業上の利用分野】
【０００１】本発明は、仰臥脚上げリラックスした姿勢で、頚椎腰椎骨盤や膝関節足首関節を直一度に牽引、又は部分的に牽引できる。うつぶせ状態で、えびそり状にするなどしてハムストリング筋などをほぐし疲労回復を早める。ストレッチ機能を有し、一台で身体牽引とストレッチ効果を得る身体牽引ストレッチ機に関するものである。
【背景技術】
【０００２】一般に牽引は、頚椎腰椎など各部を牽引するごとに、それぞれの牽引機に移動し不便があった。
一台で身体中枢各関節の背骨、骨盤膝関節を平均に牽引し、ゆがみ等矯正する機具もなかった。【０００３】ストレッチには、人為的に曲げたり捻ったり伸縮したり、施す人も大変で疲れその労力は限度があり持続困難である。リラックス姿勢のストレッチ機はなかった。
【発明の開示】
【発明が解決しようとする課題】
【０００４】本発明は、頚椎背骨部のみ牽引のときは、仰臥姿勢で顎に頚椎ベルトを掛け頭部上方へ牽引する。【０００５】両足底部を固定して牽引し、腰椎や股関節、膝関節、足首や背骨、骨盤のゆがみ、背中が曲がる症状、各関節部等の矯正効果をもたらす。【０００６】更に、リラックス仰臥状態で足先部や踵部を上下に、持続的に牽引し脚裏のふくらはぎアキレス筋、膝裏の腓復筋、大腿二頭筋や前脛骨筋、大腿四頭筋など各筋肉をほぐし疲労回復を早める。【０００７】脚を心臓より高く上げ還流血行をよくし、下腿の筋肉やハムストリング筋などを伸縮すると、むくみやだるさなど疲労回復を早め、ストレッチに大きな効果を生む。【０００８】うつ伏せ状態で、脚と上半身をえびそり状に上昇させ胸筋腹直筋や広背筋腰椎などストレッチできる。
【課題を解決するための手段】
【０００９】本発明は、牽引アーム（１）先端の両足底固定可動板（２）に、固定されている足底固定サンダル（イ）に足を挿入、踵部を紐（ロ）で固定。仰臥姿勢になり身体保持レバー（９）を脇に挟み、牽引機操作器（７）を操作する。脚部駆動機（１３）が始動、ネジをまわし伸縮ボルトパイプ（３）が伸びて支点（Ａ）を軸に牽引アーム（１）を押し、足底部固定可動板（２）が牽引され、身体中枢の各関節を牽引する。【００１０】適切に牽引した位置で、踵上下駆動機（５）がワイヤー（６）を介してレバー（４）を強弱牽引し脚表の筋肉をほぐす。【００１１】一方、両足底固定可動板の（ハ）部を牽引アーム（Ｂ）の支点に移動させ牽引し脚裏の筋肉をストレッチする。【００１２】上半身のみ牽引時は、頚椎牽引ベルト（１０）を頭部顎にセットし頭部牽引ワイヤー（１１）を介して駆動機（８）で頚椎背骨、各関節等を牽引する。【００１３】他、腰椎周りの大腿四頭筋、腸腰筋大胸筋や腸脛靭帯などのストレッチは、［図７］仰臥姿勢で足先に踵ベルト（１８）を掛けワイヤー（９）を介し駆動機（８）で伸縮牽引する。
又、［図８］のように起床板（１６）にうつ伏せになり、伸縮ボルト（１５）を伸縮し起床板を上昇したり、牽引アーム（１）を上下したりする。
更に［図９］脚上げ補助板（１７）を牽引アーム（Ｂ）上部に敷き、片脚ずつ上げ左右の大殿筋、身体前部の筋など牽引とストレッチも出来ることを要旨とする。
【発明の効果】
【００１４】本発明の身体牽引ストレッチ機は、リラックス姿勢で各関節の牽引と持続的なストレッチができる。一度足底を固定セットし、それぞれ強弱操作が利用者自身で、好みにあわせて行えることが利便性によい。【００１５】脚を心臓より少々高く上げ、下肢の還流血行を良くしながら脚の前後部、各筋肉を牽引し疲労を早期に回復する効果がある。
【実施例１】
【００１６】ゴルフで７〜８ｋ歩行後本機を使用［図１］、腓復筋やヒラメ筋、アキレスキンや大腿二頭筋、大殿筋、中殿筋や腰椎のストレッチを１０〜１５分。［図２］更に脚の表、足首、前頚骨筋、大腿四頭筋、腸腰筋や股関節などのストレッチを１０〜１５分施した後、階段登りをすると、重くだるかった体がとても軽くなった。
【実施例２】
【００１７】左右の脚のバランスが悪く、病院で腰椎牽引していた高齢者の婦人が本機で一回３０分程度、週２回２０回牽引を施したところ、体が傾くことなく真っ直ぐ歩行できるまでに回復し、本人がビックリしていた。
【実施例３】
【００１８】肩こり、手のしびれ鈍痛のある中年の男性が、毎日２０分身体を固定せず仰臥リラックス姿勢で、頚椎を軽度牽引して２５日目頃から回復した。【００１９】また、８９歳男性が左膝の痛みで歩行障害があったが、週３回３０分程度牽引して３ヶ月目頃から膝に痛みもなく以前の歩行に戻り回復した。
【実施例４】
【００２０】「疲れた、身体がだるい」を連発した人々に試しに牽引ストレッチを施し、即階段を上がってもらった。全員が「体が軽い。まるで雲の上を歩いているみたい」との感想が多かった。ストレッチの効果は大である。
【図面の簡単な説明】
【図１】本発明の使用図である
【図２】本発明の踵牽引部使用図である。
【図３】本発明の本体断面図である。
【図４】使用前後のセット図である。
【図５】本体斜視図である。
【図６】両足底固定可動板である。
【図７】腰椎屈伸使用図である。
【図８】えびそり状態、腹直筋伸縮使用図である。
【図９】脚上げ左右個別使用図である。
【図１０】脚上げ補助板
【符号の説明】
１    牽引アーム
２    両足底固定可動板
３    伸縮ボルトパイプ
４    踵押し上げレバー
５    踵上下駆動機
６    ワイヤー
７    牽引機操作器
８    駆動機
９    身体保持レバー
１０  頚椎牽引ベルト
１１  頭部牽引ワイヤー
１２  アーム支点
１３  脚部駆動機
１４  起床伸縮機
１５  伸縮ボルト
１６  起床板
１７  脚上げ補助板
１８  踵牽引ベルト
イ    サンダル
ロ    紐
ニ    足底固定可動板牽引足先部
ハ    足底固定可動板牽引踵部
Ａ    牽引アーム支点
Ｂ    牽引アーム上支点
【図１】
2009045415.tif 000003
【図２】
2009045415.tif 000004
【図３】
2009045415.tif 000005
【図４】
2009045415.tif 000006
【図５】
2009045415.tif 000007
【図６】
2009045415.tif 000008
【図７】
2009045415.tif 000009
【図８】
2009045415.tif 000010
【図９】
2009045415.tif 000011
【図１０】
2009045415.tif 000012